【手続補正書】
【提出日】平成16年3月26日(2004.3.26)
【手続補正１】
【補正対象書類名】明細書
【補正対象項目名】特許請求の範囲
【補正方法】変更
【補正の内容】
【特許請求の範囲】
【請求項１】
スタート条件の成立に応じて所定時間以上動作される図柄表示部と、
スタート条件の成立時に当たりか外れかを決定するための抽選動作を行い、この抽選結果が当たりの場合に前記図柄表示部をリーチ状態に切り替えてから特定の当たり図柄の組み合わせで動作停止させる一方、前記抽選結果が外れの場合は前記図柄表示部を予め決められた割合でリーチ状態に切り替えてから外れ図柄の組み合わせで動作停止させ、前記当たり図柄の組み合わせで動作停止させたときは、入賞率を大幅に高めた特賞状態に切り替える制御を行う制御手段と、
前記図柄表示部の動作期間中における前記スタート条件の成立数を所定の上限数まで保留データとして記憶する記憶手段とを備えたパチンコ遊技機において、
前記図柄表示部の他に所定時間以上動作される補助図柄表示部を設けると共に、
前記図柄表示部の動作状態において前記記憶手段に保留データが記憶されている場合に、前記図柄表示部がリーチ状態となったタイミングで前記補助図柄表示部の動作を開始させると共に上記記憶部の保留データを減少させ、前記抽選結果が当たりの場合は特定の当たり図柄の組み合わせで動作停止させる一方、前記抽選結果が外れの場合は外れ図柄の組み合わせで動作停止させる制御を行う補助制御手段を設け、
前記制御手段を、前記補助図柄表示部が特定の当たり図柄の組み合わせで動作停止されたときに、入賞率を大幅に高めた特賞状態に切り替える制御を行うように構成したことを特徴とするパチンコ遊技機。
【請求項２】
動作優先順位が設定された複数の補助図柄表示部を備え、
前記補助制御手段は、前記図柄表示部の動作状態において前記記憶手段に保留データが記憶されている場合に、所定のタイミングで優先順位が高い補助図柄表示部の動作を開始させると共に上記記憶部の保留データを減少させる制御を行い、このような補助図柄表示部の動作状態において前記記憶手段に保留データが記憶されている場合に、所定のタイミングで優先順位が次位の補助図柄表示部の動作を開始させると共に上記記憶部の保留データを減少させる制御を行うように構成されていることを特徴とする請求項１載のパチンコ遊技機。
【請求項３】
前記制御手段は、前記図柄表示部及び補助図柄表示部の動作時において、当該図柄表示部及び補助図柄表示部を予め決められた割合でリーチ状態に切り替える制御を行うように構成され、
前記補助制御手段は、優先順が高い補助図柄表示部がリーチ状態となったタイミングで前記記憶手段に保留データが記憶されている場合に、優先順位が次位の補助図柄表示部の動作を開始させるように構成されていることを特徴とする請求項２記載のパチンコ遊技機。
【請求項４】
前記図柄表示部及び補助図柄表示部は、単一の表示装置内に選択的に表示される構成となっていることを特徴とする請求項１ないし３の何れかに記載のパチンコ遊技機。
【手続補正２】
【補正対象書類名】明細書
【補正対象項目名】０００９
【補正方法】変更
【補正の内容】
【０００９】
【課題を解決するための手段】
請求項１記載の発明は上記目的を達成するために、スタート条件の成立に応じて所定時間以上動作される図柄表示部と、スタート条件の成立時に当たりか外れかを決定するための抽選動作を行い、この抽選結果が当たりの場合に前記図柄表示部をリーチ状態に切り替えてから特定の当たり図柄の組み合わせで動作停止させる一方、前記抽選結果が外れの場合は前記図柄表示部を予め決められた割合でリーチ状態に切り替えてから外れ図柄の組み合わせで動作停止させ、前記当たり図柄の組み合わせで動作停止させたときは、入賞率を大幅に高めた特賞状態に切り替える制御を行う制御手段と、前記図柄表示部の動作期間中における前記スタート条件の成立数を所定の上限数まで保留データとして記憶する記憶手段とを備えたパチンコ遊技機において、
前記図柄表示部の他に所定時間以上動作される補助図柄表示部を設けると共に、
前記図柄表示部の動作状態において前記記憶手段に保留データが記憶されている場合に、前記図柄表示部がリーチ状態となったタイミングで前記補助図柄表示部の動作を開始させると共に上記記憶部の保留データを減少させ、前記抽選結果が当たりの場合は特定の当たり図柄の組み合わせで動作停止させる一方、前記抽選結果が外れの場合は外れ図柄の組み合わせで動作停止させる制御を行う補助制御手段を設け、
前記制御手段を、前記補助図柄表示部が特定の当たり図柄の組み合わせで動作停止されたときに、入賞率を大幅に高めた特賞状態に切り替える制御を行うように構成したものである。


【手続補正３】
【補正対象書類名】明細書
【補正対象項目名】００１０
【補正方法】変更
【補正の内容】
【００１０】
この構成のパチンコ遊技機によれば、遊技に伴いスタート条件が成立すると、図柄表示部が所定時間以上動作されるようになる。制御手段は、スタート条件の成立時に当たりか外れかを決定するための抽選動作を行い、この抽選結果が当たりの場合に前記図柄表示部をリーチ状態に切り替えてから特定の当たり図柄の組み合わせで動作停止させる一方、前記抽選結果が外れの場合は前記図柄表示部を予め決められた割合でリーチ状態に切り替えてから外れ図柄の組み合わせで動作停止させ、前記当たり図柄の組み合わせで動作停止させたときは、入賞率を大幅に高めた特賞状態に切り替える制御を行うようになる。上記のような図柄表示部の動作期間中において、スタート条件が再び成立したときには、記憶手段に対して、そのスタート条件成立数が所定の上限数まで保留データとして記憶されるようになり、これにより図柄表示部の動作開始権利が生ずる。


【手続補正４】
【補正対象書類名】明細書
【補正対象項目名】００１１
【補正方法】変更
【補正の内容】
【００１１】
図柄表示部の動作状態において前記記憶手段に保留データが記憶された状態では、補助制御手段が、前記図柄表示部がリーチ状態となったタイミングで補助図柄表示部の動作を開始させると共に、上記記憶部の保留データを減少させ、前記抽選結果が当たりの場合は特定の当たり図柄の組み合わせで動作停止させる一方、前記抽選結果が外れの場合は外れ図柄の組み合わせで動作停止させる制御を行うようになる。そして、制御手段は、上記補助図柄表示部が特定の当たり図柄の組み合わせで動作停止されたときには、入賞率を大幅に高めた特賞状態に切り替える制御を行うようになる。


【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】変更
【補正の内容】
【００１４】
しかも、図柄表示部の動作時には、抽選動作の結果が外れであった場合でも、リーチ状態が予め決められた割合で発生することになるから、遊技客側の期待感を高め得るようになる。また、このような図柄表示部の動作期間中において、スタート条件が成立したときには、記憶手段に対して、その入賞数が所定の上限数まで保留データとして記憶されるようになり、このような記憶状態で上記図柄表示部がリーチ状態となったときには、その記憶保留データに基づいた補助図柄表示部の動作が開始されることになるため、遊技客側の期待度がさらに向上するようになる。


【手続補正７】
【補正対象書類名】明細書
【補正対象項目名】００１５
【補正方法】変更
【補正の内容】
【００１５】
請求項２記載の発明のように、動作優先順位が設定された複数の補助図柄表示部を備えた上で、前記補助制御手段を、前記図柄表示部の動作状態において前記記憶手段に保留データが記憶されている場合に、所定のタイミングで優先順位が高い補助図柄表示部の動作を開始させると共に上記記憶部の保留データを減少させる制御を行い、このような補助図柄表示部の動作状態において前記記憶手段に保留データが記憶されている場合に、所定のタイミングで優先順位が次位の補助図柄表示部の動作を開始させると共に上記記憶部の保留データを減少させる制御を行う構成とすることもできる。


【手続補正８】
【補正対象書類名】明細書
【補正対象項目名】００１７
【補正方法】変更
【補正の内容】
【００１７】
請求項３記載の発明のように、前記制御手段を、前記図柄表示部及び補助図柄表示部の動作時において、当該図柄表示部及び補助図柄表示部を予め決められた割合でリーチ状態に切り替える制御を行うように構成した上で、前記補助制御手段を、優先順が高い補助図柄表示部がリーチ状態となったタイミングで前記記憶手段に保留データが記憶されている場合に優先順位が次位の補助図柄表示部の動作を開始させる構成とすることもできる。


【手続補正９】
【補正対象書類名】明細書
【補正対象項目名】００１９
【補正方法】変更
【補正の内容】
【００１９】
請求項４記載の発明のように、前記図柄表示部及び補助図柄表示部を、単一の表示装置内に選択的に表示する構成としても良いものであり、この構成によれば、図柄表示部及び補助図柄表示部のための表示構造を簡単化できて、製造コストを抑制する上で有利となる。